【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記コア部は、前記スペーサプレートの一部と、当該スペーサプレートに対向する前記クーリングプレートの一部と、を一体化させる一体化部（２１５、２３０、２３１、２３３、２４０）を有し、
前記スペーサプレートは、少なくとも前記流入口側の端部（２３３）が前記クーリングプレート側に折り曲げられて構成された壁部（２３２）を有し、
前記一体化部は、前記クーリングプレートの端部の先端が前記壁部側に折り曲げられていると共に前記壁部に一体化された爪部（２１５）である熱交換器。
【請求項２】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記コア部は、前記スペーサプレートの一部と、当該スペーサプレートに対向する前記クーリングプレートの一部と、を一体化させる一体化部（２１５、２３０、２３１、２３３、２４０）を有し、
前記スペーサプレートは、少なくとも前記流入口側の端部（２３３）が前記クーリングプレート側に折り曲げられて構成された壁部（２３２）を有し、
前記一体化部は、前記クーリングプレートに一体化された前記壁部である熱交換器。
【請求項３】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記複数のクーリングプレートは、前記第１板部の一部が前記第２板部とは反対側に突出すると共に開口した第１カップ部（２１３）と、前記第２板部のうち前記第１カップ部に対応した部分が前記第１カップ部とは反対側に突出すると共に開口した第２カップ部（２１４）と、を有すると共に、積層されており、
前記スペーサプレートは、前記複数のクーリングプレートの積層方向において前記一方のクーリングプレートの第２カップ部と前記他方のクーリングプレートの第１カップ部とに挟まれることにより前記複数のクーリングプレートの最上層から最下層までが前記第１カップ部及び前記第２カップ部を介して繋がった柱構造部（２０２）を構成する貫通孔部（２３１）を有し、
前記コア部は、前記スペーサプレートの一部と、当該スペーサプレートに対向する前記クーリングプレートの一部と、を一体化させる一体化部（２１５、２３０、２３１、２３３、２４０）を有し、
前記貫通孔部は、前記クーリングプレートの前記第１カップ部の全体または前記第２カップ部の全体を覆う形状に構成されており、
前記一体化部は、前記第１カップ部の全体または前記第２カップ部の全体に一体化された前記貫通孔部である熱交換器。
【請求項４】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記コア部は、前記スペーサプレートの一部と、当該スペーサプレートに対向する前記クーリングプレートの一部と、を一体化させる一体化部（２１５、２３０、２３１、２３３、２４０）を有し、
前記一体化部は、前記複数のクーリングプレートのうちの隣同士の一方と他方との隙間の全体を埋める形状に構成されていると共に前記複数のクーリングプレートのうちの隣同士の一方と他方との両方に一体化された前記スペーサプレートである熱交換器。
【請求項５】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記コア部は、前記スペーサプレートの一部と、当該スペーサプレートに対向する前記クーリングプレートの一部と、を一体化させる一体化部（２１５、２３０、２３１、２３３、２４０）を有し、
前記スペーサプレートは、少なくとも前記流入口側の端部（２３３）のうち前記クーリングプレートに対向する壁面（２３５）が前記クーリングプレートに接触するように折り曲げられた曲げ部（２３４）を有し、
前記一体化部は、前記曲げ部によって前記壁面が前記クーリングプレートに一体化された前記スペーサプレートの端部である熱交換器。
【請求項６】
前記スペーサプレートと、当該スペーサプレートに対向する前記クーリングプレートと、を一つの段と定義すると、
前記一体化部は、前記段の全てに設けられているか、もしくは、前記段の一部に設けられている請求項１ないし５のいずれか１つに記載の熱交換器。
【請求項７】
流入口から第１流体を導入すると共に流出口から前記第１流体を排出するように構成されたダクト（１００）と、
第１板部（２１１）と第２板部（２１２）とが重ねられていると共に前記各板部（２１１、２１２）の間に第２流体の流路が設けられた複数のクーリングプレート（２１０）と、前記複数のクーリングプレートのうちの隣同士の一方と他方とに挟まれた板状の複数のスペーサプレート（２３０）と、を有すると共に、前記ダクトに収容されており、前記ダクトに流れる前記第１流体と前記複数のクーリングプレートに流れる前記第２流体との熱交換を行うコア部（２００）と、
前記流入口及び前記流出口の開口形状に対応した枠状に形成されており、前記流入口及び前記流出口に固定されていると共に、前記ダクト側とは反対側にタンク（４００）をかしめ固定するかしめプレート（３００）と、
を備え、
前記コア部は、前記複数のスペーサプレートのうちの隣同士の一方と他方とを一体化させる一体化部（２３０、２３２、２４０）を有している熱交換器。
【請求項８】
前記複数のスペーサプレートのうちの隣同士の一方と他方とを一つの段と定義すると、
前記一体化部は、前記段の全てに設けられているか、もしくは、前記段の一部に設けられている請求項７に記載の熱交換器。
【請求項９】
前記一体化部は、前記クーリングプレート及び前記スペーサプレートとは異なる固定部（２４０）として構成されている請求項７または８に記載の熱交換器。
【請求項１０】
前記一体化部は、ろう付け、接着、及び溶接のいずれかの方法によって一体化されている請求項１ないし９のいずれか１つに記載の熱交換器。
【請求項１１】
前記一体化部は、かしめまたは圧入の方法によって一体化されている請求項１ないし９のいずれか１つに記載の熱交換器。
【請求項１２】
前記複数のクーリングプレートは、前記第１板部の一部が前記第２板部とは反対側に突出すると共に開口した第１カップ部（２１３）と、前記第２板部のうち前記第１カップ部に対応した部分が前記第１カップ部とは反対側に突出すると共に開口した第２カップ部（２１４）と、を有すると共に、積層されており、
前記複数のスペーサプレートは、前記複数のクーリングプレートの積層方向において前記一方のクーリングプレートの第２カップ部と前記他方のクーリングプレートの第１カップ部とに挟まれることにより前記複数のクーリングプレートの最上層から最下層までが前記第１カップ部及び前記第２カップ部を介して繋がった柱構造部（２０２）を構成する貫通孔部（２３１）を有する請求項１ないし１１のいずれか１つに記載の熱交換器。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
そして、請求項１に記載の発明では、コア部は、スペーサプレートの一部と、当該スペーサプレートに対向する前記クーリングプレートの一部と、を一体化させる一体化部（２１５、２３０、２３１、２３３、２４０）を有し、スペーサプレートは、少なくとも流入口側の端部（２３３）がクーリングプレート側に折り曲げられて構成された壁部（２３２）を有し、一体化部は、クーリングプレートの端部の先端が壁部側に折り曲げられていると共に壁部に一体化された爪部（２１５）である。
請求項２に記載の発明では、スペーサプレートは、少なくとも流入口側の端部（２３３）がクーリングプレート側に折り曲げられて構成された壁部（２３２）を有し、一体化部は、前記クーリングプレートに一体化された壁部である。
請求項３に記載の発明では、複数のクーリングプレートは、第１板部の一部が第２板部とは反対側に突出すると共に開口した第１カップ部（２１３）と、第２板部のうち第１カップ部に対応した部分が第１カップ部とは反対側に突出すると共に開口した第２カップ部（２１４）と、を有すると共に、積層されており、スペーサプレートは、複数のクーリングプレートの積層方向において一方のクーリングプレートの第２カップ部と他方のクーリングプレートの第１カップ部とに挟まれることにより複数のクーリングプレートの最上層から最下層までが第１カップ部及び第２カップ部を介して繋がった柱構造部（２０２）を構成する貫通孔部（２３１）を有し、貫通孔部は、クーリングプレートの第１カップ部の全体または第２カップ部の全体を覆う形状に構成されており、一体化部は、第１カップ部の全体または第２カップ部の全体に一体化された貫通孔部である。
請求項４に記載の発明では、一体化部は、複数のクーリングプレートのうちの隣同士の一方と他方との隙間の全体を埋める形状に構成されていると共に複数のクーリングプレートのうちの隣同士の一方と他方との両方に一体化されたスペーサプレートである。
請求項５に記載の発明では、スペーサプレートは、少なくとも流入口側の端部（２３３）のうちクーリングプレートに対向する壁面（２３５）がクーリングプレートに接触するように折り曲げられた曲げ部（２３４）を有し、一体化部は、曲げ部によって壁面がクーリングプレートに一体化されたスペーサプレートの端部である。
【手続補正５】
【補正対象書類名】明細書
【補正対象項目名】００１７
【補正方法】変更
【補正の内容】
【００１７】
請求項７に記載の発明では、コア部は、複数のスペーサプレートのうちの隣同士の一方と他方とを一体化させる一体化部（２３０、２３２、２４０）を有している。
【手続補正６】
【補正対象書類名】明細書
【補正対象項目名】００１８
【補正方法】削除
【補正の内容】